(57)【要約】【課題】天井に吊り下げて設置される照明器具において、使用形態に合わせて室内美観を損うことなく設置可能な、使い勝手の良い照明器具を提供すること。【解決手段】ランプＬを接続するランプソケット１１と、ランプソケット１１から延出される吊り下げコード１３と、吊り下げコード１３の終端に設けられ、天井の配線器具３に着脱自在に接続可能なシーリングキャップ１４と、吊り下げコード１３に装着され、シーリングキャップ１４を外側から覆う一端開放箱状のシーリングカバー１５と、シーリングカバー１５の開放側の端部１５０に着脱自在に連結される両端開放筒状の拡張カバー１６とを備えたこと。【選択図】図１
2016033859.tif 000002
【特許請求の範囲】
【請求項１】
ランプを接続するランプソケットと、ランプソケットから延出される吊り下げコードと、吊り下げコードの終端に設けられ、天井の配線器具に着脱自在に接続可能なシーリングキャップと、吊り下げコードに装着され、シーリングキャップを外側から覆う一端開放箱状のシーリングカバーと、シーリングカバーの開放側の端部に着脱自在に連結される両端開放筒状の拡張カバーとを備えた、照明器具。
【請求項２】
請求項１に記載の照明器具において、
拡張カバーは、配線器具に取り付けられたダクトレールの凸部に嵌合可能な凹部を備えた、照明器具。
【請求項３】
ランプを接続するランプソケットと、ランプソケットから延出される吊り下げコードと、吊り下げコードの終端に設けられ、天井の配線器具に着脱自在に接続可能なシーリングキャップと、吊り下げコードに装着され、シーリングキャップを外側から覆う一端開放箱状のシーリングカバーと、シーリングキャップに連結され、吊り下げコードの中間部を束ねて保持するためのコード長さ調整具とを備えた照明器具であって、
コード長さ調整具は、シーリングキャップに挟持状態で連結される挟持部と、吊り下げコードの中間部をループ状に撓ませた状態で保持させる溝部と、前記溝部に保持された吊り下げコードのループ部を巻回させる軸部と、軸部に巻回されたループ部を引掛けて固定させる引掛け片とを備えた、照明器具。
【請求項４】
請求項３に記載の照明器具において、
挟持部は、シーリングキャップに設けられた孔部に抜け止め状態で嵌合する爪部を備えた、照明器具。
【請求項５】
請求項３または４に記載の照明器具において、
吊り下げコードに環設され、前記ループ部を軸部に巻回させたときに引掛け片に引掛けて、ループ部の巻回状態を保持する留めリングを備えた、照明器具。
【請求項６】
請求項３から５に記載の照明器具において、
シーリングカバーの開放側の端部に着脱自在に連結される両端開放筒状の拡張カバーを備えた、照明器具。
【発明の詳細な説明】
【技術分野】
【０００１】
本発明は、照明器具、特に、天井に吊り下げた状態で設置される照明器具に関する。
【背景技術】
【０００２】
従来、天井に吊り下げた状態で設置される吊り下げ式の照明器具において、吊り下げコードの終端に設けられたシーリングキャップをシーリングカバーで覆うように構成されたものが知られている（例えば、特許文献１から３参照）。
【０００３】
具体的には、図１７に示すように、従来の吊り下げ式の照明器具９は、ランプソケット９１と、ランプソケット９１から延びる吊り下げコード９３と、吊り下げコード９１の終端に設けられ、天井の引掛けシーリングや埋め込みローゼットなどの配線器具３に接続されるシーリングキャップ９４と、シーリングキャップ９４を覆うシーリングカバー９５とを有し、主に、シーリングキャップ９４を配線器具３に直接接続して使用される。また、上記照明器具９は、図１８に示すように、配線器具３に取り付けられたダクトレール５に単数または複数接続して使用される場合もあるが、この場合は、シーリングキャップ９４にレールアダプタ６を取り付け、レールアダプタ６を介してダクトレール５に接続される。
【先行技術文献】
【特許文献】
【０００４】
【特許文献１】特開２００３−３３８２１６号公報
【特許文献２】特開昭６２−７６２０９号公報
【特許文献３】実開昭６１−６０４０８号公報
【発明の概要】
【発明が解決しようとする課題】
【０００５】
ところで、この種の照明器具９では、設置場所や使用者の趣向に合わせてランプの吊り下げ高さを調整するために、吊り下げコード９３の中間部を束ねて使用される場合があるが、その際、室内美観が損なわれないよう、シーリングカバー９５の内部で吊り下げコード９３を束ねるのが望ましい。一方で、この種の照明器具９では、室内美観を考慮して、シーリングカバー９５の小型化も求められている。
【０００６】
しかしながら、シーリングカバー９５が小さいと、吊り下げコード９３の束ねた部分がシーリングカバー９５の内壁に接触して、正しい姿勢でシーリングカバー９５を設置できず、室内美観を損う可能性があった。また、シーリングカバー９５が小さいと、レールアダプタ６を用いてダクトレール５に取り付ける際に、ダクトレール５とシーリングカバー９５との間に不要な隙間を生じ、室内美観を損う可能性もあった。
【０００７】
本発明は、上述の事情に鑑みてなされたものであり、その目的は、天井に吊り下げて設置される照明器具において、使用形態に合わせて室内美観を損なうことなく設置可能な、使い勝手の良い照明器具を提供することにある。
【課題を解決するための手段】
【０００８】
本発明は、ランプを接続するランプソケットと、ランプソケットから延出される吊り下げコードと、吊り下げコードの終端に設けられ、天井の配線器具に着脱自在に接続可能なシーリングキャップと、吊り下げコードに装着され、シーリングキャップを外側から覆う一端開放箱状のシーリングカバーと、シーリングカバーの開放側の端部に着脱自在に連結される両端開放筒状の拡張カバーとを備えた照明器具である。
【０００９】
このものでは、ランプの吊り下げ高さを調整すべく、吊り下げコードの中間部を束ねて使用する場合に、シーリングカバーに拡張カバーを連結すれば、吊り下げコードの束ねた部分がシーリングカバーおよび拡張カバーの内部に余裕をもって収容されるから、シーリングカバーを正しい姿勢で設置することができる。しかも、吊り下げコードの中間部を束ねて使用しない場合は、シーリングカバーから拡張カバーを取り外せば、その分、シーリングカバー周辺の構成がコンパクトになる。さらに、ダクトレールに取り付けて使用する場合は、シーリングカバーに拡張カバーを連結すれば、ダクトレールとシーリングカバーとの間に不要な隙間も生じない。
【００１０】
また、上記照明器具において、拡張カバーは、配線器具に取り付けられたダクトレールの凸部に嵌合可能な凹部を備えたものとするのが好ましい。
【００１１】
このものでは、ダクトレールに取り付けて使用する場合に、上記凸部および凹部相互が嵌合することで、拡張カバーがダクトレールに対して位置決め状態で連結されるから、より正しい姿勢でシーリングカバーを設置することができる。
【００１２】
また、本発明は、ランプを接続するランプソケットと、ランプソケットから延出される吊り下げコードと、吊り下げコードの終端に設けられ、天井の配線器具に着脱自在に接続可能なシーリングキャップと、吊り下げコードに装着され、シーリングキャップを外側から覆う一端開放箱状のシーリングカバーと、シーリングキャップに連結され、吊り下げコードの中間部を束ねて保持するためのコード長さ調整具とを備えた照明器具であって、コード長さ調整具は、シーリングキャップに挟持状態で連結される挟持部と、吊り下げコードの中間部をループ状に撓ませた状態で保持させる溝部と、前記溝部に保持された吊り下げコードのループ部を巻回させる軸部と、軸部に巻回されたループ部を引掛けて固定させる引掛け片とを備えたものである。
【００１３】
このものでは、ランプの吊り下げ高さを調整すべく、吊り下げコードの中間部を束ねて使用する場合に、吊り下げコードの中間部をループ状に撓ませて溝部に保持させ、さらに上記ループ部を軸部に巻回し、引掛け片に引掛けて固定させることによって、吊り下げコードがシーリングカバーの内部でコンパクトに束ねられるから、シーリングカバーを正しい姿勢で設置することができる。また、吊り下げコードをコンパクトに束ねることができる分、シーリングカバーを小さく構成することも可能である。
【００１４】
また、上記照明器具において、挟持部は、シーリングキャップに設けられた孔部に抜け止め状態で嵌合する爪部を備えたものとするのが好ましい。
【００１５】
このものでは、上記孔部および爪部相互が嵌合することで、コード長さ調整具がシーリングキャップに対して確実に連結固定されるから、軸部に巻回された吊り下げコードのループ部がシーリングカバーの内壁に接触し難い。従って、シーリングカバーをより正しい姿勢で設置することができる。
【００１６】
また、上記照明器具は、吊り下げコードに環設され、前記ループ部を軸部に巻回させたときに引掛け片に引掛けて、ループ部の巻回状態を保持する留めリングを備えたものとするのが好ましい。
【００１７】
このものでは、留めリングを引掛け片に引掛けることで、ループ部が軸部に対してより確実に巻回状態で保持され、シーリングカバーの内部でコンパクトに束ねられるから、シーリングカバーをより正しい姿勢で設置することができる。
【００１８】
また、上記照明器具は、シーリングカバーの開放側の端部に着脱自在に連結される両端開放筒状の拡張カバーを備えたものとするのが好ましい。
【００１９】
このものでは、ランプの吊り下げ高さを調整すべく、吊り下げコードの中間部をコード長さ調整具に巻回して使用する場合に、シーリングカバーに拡張カバーを連結すれば、吊り下げコードの巻回部分がシーリングカバーおよび拡張カバーの内部に余裕をもって収容されるから、シーリングカバーをより正しい姿勢で設置することができる。しかも、吊り下げコードの中間部をコード長さ調整具に巻回しないで使用する場合は、シーリングカバーから拡張カバーを取り外せば、その分、シーリングカバー周辺の構成がコンパクトになる。さらに、ダクトレールに取り付けて使用する場合は、シーリングカバーに拡張カバーを連結すれば、ダクトレールとシーリングカバーとの間に不要な隙間も生じない。
【発明の効果】
【００２０】
以上のように、本発明によれば、使用形態に合わせて室内美観を損うことなく設置可能な、使い勝手の良い照明器具を提供できる。
【図面の簡単な説明】
【００２１】
【図１】図１は、本発明の実施の形態に係る照明器具の第１の使用状態を示す斜視図である。
【図２】図２は、本発明の実施の形態に係る照明器具の第２の使用状態を示す斜視図である。
【図３】図３は、本発明の実施の形態に係る照明器具のシーリングキャップ周辺の側面視概略縦断面図である。
【図４】図４は、本発明の実施の形態に係る照明器具の第３の使用状態を示す斜視図である。
【図５】図５は、本発明の実施の形態に係る照明器具の第４の使用状態を示す斜視図である。
【図６】図６は、本発明の実施の形態に係る照明器具の第５の使用状態を示す斜視図である。
【図７】図７は、本発明の実施の形態に係る照明器具の第６の使用状態を示す斜視図である。
【図８】図８は、本発明の実施の形態に係る照明器具のコード長さ調整具の斜視図である。
【図９】図９は、本発明の実施の形態に係る照明器具のコード長さ調整具の第１の側面図である。
【図１０】図１０は、本発明の実施の形態に係る照明器具のコード長さ調整具の第２の側面図である。
【図１１】図１１は、本発明の実施の形態に係る照明器具のコード長さ調整具の上面図である。
【図１２】図１２は、本発明の実施の形態に係る照明器具のコード長さ調整具に吊り下げコードを巻回した第１の状態を示す図である。
【図１３】図１３は、本発明の実施の形態に係る照明器具のコード長さ調整具に吊り下げコードを巻回した第２の状態を示す図である。
【図１４】図１４は、本発明の実施の形態に係る照明器具のコード長さ調整具に吊り下げコードを巻回した第３の状態を示す図である。
【図１５】図１５は、本発明の実施の形態に係る照明器具のコード長さ調整具に吊り下げコードを巻回した第４の状態を示す図である。
【図１６】図１６は、本発明の他の実施形態に係る照明器具のコード長さ調整具の側面視概略縦断面図である。
【図１７】図１７は、従来の照明器具の第１の使用状態を示す斜視図である。
【図１８】図１８は、従来の照明器具の第２の使用状態を示す斜視図である。
【発明を実施するための形態】
【００２２】
次に、上記した本発明を実施するための形態について、添付図面を参照しながら詳述する。
図１および図２に示すように、本発明の実施の形態に係る照明器具１は、天井に吊り下げた状態で設置される吊り下げ式の照明器具であり、電球型のランプＬが接続されるランプソケット１１と、ランプＬおよびランプソケット１１を覆うランプセード１２と、ランプソケット１１から延出される吊り下げコード１３と、吊り下げコード１３の終端に設けられ、天井の引掛けシーリングや埋め込みローゼットなどの配線器具３に着脱自在に接続可能なシーリングキャップ１４とを備え、図１に示すように、主として配線器具３の接続部３００にシーリングキャップ１４を直接接続して設置される。また、図２に示すように、配線器具３に取り付けられたダクトレール５に接続して使用する場合は、ダクトレール５のレール溝５００の所望の位置にレールアダプタ６を取り付け、レールアダプタ６の接続部６００にシーリングキャップ１４を接続して設置される。尚、本明細書では、照明器具１を天井に吊り下げて設置したときの鉛直方向を上下方向という。
【００２３】
照明器具１は、シーリングキャップ１４を覆う上端開放箱状のシーリングカバー１５と、シーリングカバー１５の開放側の端部（上端縁）１５０に着脱自在に連結される上下端開放筒状の拡張カバー１６と、シーリングキャップ１４に着脱自在に連結され、吊り下げコード１３の中間部を束ねて保持するためのコード長さ調整具１７とを備えている。
【００２４】
図示しないが、ランプソケット１１の内部には、ランプＬと電気的に接続される受金および接触端子が組み込まれている。また、ランプソケット１１の上端部には、上記受金および接触端子に繋がる一対のコード接続端子が設けられており、上記コード接続端子に吊り下げコード１３の一端が接続固定されている。尚、ランプセード１２は、ランプソケット１１の上端部に装着されており、吊り下げコード１３は、ランプセード１２の上部に開設された図示しないコード挿通孔からランプセード１２の外部に延出される。
【００２５】
吊り下げコード１３は、二本の導電線を軟質の樹脂チューブで被覆した可撓性の高い電気ケーブルであり、一方の導電線が上記受金側のコード接続端子に接続され、他方の導電線が上記接触端子側のコード接続端子に接続されている。また、図１および図２に示すように、吊り下げコード１３には、吊り下げコード１３の中間部をコード長さ調整具１７に巻回させたときにコード長さ調整具１７の引掛け片１７３，１７４に引掛けて、吊り下げコード１３の巻回状態を保持するための留めリング１８が環設されている。留めリング１８は、シリコンゴムなど、伸縮性および耐候性が高く、且つ、移行性の低い材料で形成されている。
【００２６】
シーリングキャップ１４は、横長矩形状のキャップ本体１４０と、配線器具３の接続部３００に抜け止め状態で嵌合し、配線器具３の内部の図示しない接続端子と電気的に接続される一対の略逆Ｌ字状の引掛け端子１４１とを備えており、上記引掛け端子１４１に吊り下げコード１３の他端が接続固定されている。
【００２７】
図１から図３に示すように、シーリングカバー１５は、上端から下端へ向かって縮径する略逆円錐台形状の箱体であり、その上端面が開放し、下端面には、吊り下げコード１３を挿通するためのコード挿通孔１５１が設けられている。また、シーリングカバー１５は、略対称に形成された一対のカバー半体１５Ａ，１５Ｂで構成されており、これらカバー半体１５Ａ，１５Ｂによって吊り下げコード１３を側方から挟み込むようにして吊り下げコード１３に装着されている。
【００２８】
図３に示すように、コード挿通孔１５１の周縁上面には、シーリングカバー１５の内部上方へ向かって複数のコード挟持片１５２が立設形成されている。コード挟持片１５２は、所定の弾性を有しており、各先端が吊り下げコード１３の外周面に押圧状態で当接している。従って、シーリングカバー１５は、コード挟持片１５２の挟持圧力によって吊り下げコード１３の任意の位置に保持固定される。
【００２９】
シーリングカバー１５の高さおよび内径寸法は、一般的な角型や丸型の引掛けシーリング、および、シーリングキャップ１４より大きく設定されており、コード長さ調整具１７をシーリングキャップ１４に装着しないで上記引掛けシーリングに取り付ける場合は、図４に示すように、拡張カバー１６をシーリングカバー１５に連結せず、シーリングカバー１５の上端縁１５０を天井面に当接させた状態で設置する。これにより、上記引掛けシーリング（配線器具３）やシーリングキャップ１４の全体がシーリングカバー１５のみで覆われる。
【００３０】
一方で、シーリングカバー１５の内径寸法は、一般的な埋め込みローゼットの外径より小さく設定されており、コード長さ調整具１７をシーリングキャップ１４に装着しないで埋め込みローゼットに取り付ける場合は、図５に示すように、拡張カバー１６をシーリングカバー１５に連結せず、シーリングカバー１５の上端縁１５０を埋め込みローゼット（配線器具３）の下面に当接させた状態で設置する。これにより、シーリングキャップ１４の全体がシーリングカバー１５のみで覆われる。尚、図６に示すように、コード長さ調整具１７をシーリングキャップ１４に装着して埋め込みローゼットに取り付ける場合も同様、シーリングカバー１５の上端縁１５０を埋め込みローゼット（配線器具３）の下面に当接させた状態で設置する。これにより、シーリングキャップ１４およびコード長さ調整具１７の全体がシーリングカバー１５のみで覆われる。
【００３１】
図１から図３に示すように、拡張カバー１６は、上下に開放する円筒状に形成されている。拡張カバー１６の下端には、シーリングカバー１５の上端縁１５０に対応する受け溝１６０が全周に亘って形成されており、シーリングカバー１５と拡張カバー１６とを連結させる際、上記受け溝１６０にシーリングカバー１５の上端縁１５０が遊挿される。尚、シーリングカバー１５および拡張カバー１６は、受け溝１６０に上端縁１５０を圧入状態で嵌合させるように構成されたものとしてもよいし、拡張カバー１６の下端周壁或いは受け溝１６０に係合孔が設けられる一方、上端縁１５０に係合爪が設けられ、上記係合孔に係合爪を着脱可能な状態で嵌合させるように構成されたものとしてもよい。また、受け溝１６０に沿って雌ねじが形成される一方、上端縁１５０に沿って雄ねじが形成され、上記雌ねじ部に雄ねじ部を螺合接続させるように構成されたものとしてもよい。
【００３２】
拡張カバー１６の高さおよび内径寸法は、一般的な角型や丸型の引掛けシーリング、シーリングキャップ１４、および、レールアダプタ６より大きく設定されており、コード長さ調整具１７をシーリングキャップ１４に装着して上記引掛けシーリングに取り付ける場合は、図７に示すように、拡張カバー１６をシーリングカバー１５に連結し、天井面とシーリングカバー１５との間に拡張カバー１６を挟装させた状態で設置する。これにより、上記引掛けシーリングやシーリングキャップ１４の全体がシーリングカバー１５および拡張カバー１６によって覆われる。尚、図２および図３に示すように、ダクトレール５に取り付ける場合は、コード長さ調整具１７をシーリングキャップ１４に装着して使用するか否かにかかわらず、拡張カバー１６をシーリングカバー１５に連結し、ダクトレール５とシーリングカバー１５との間に拡張カバー１６を挟装させた状態で設置する。これにより、シーリングキャップ１４やレールアダプタ６の全体がシーリングカバー１５および拡張カバー１６によって覆われる。
【００３３】
図２および図３に示すように、拡張カバー１６の上端縁には、ダクトレール５のレール溝５００の両側縁に沿って形成されたリブ状の凸部５０１に対応する複数の凹部１６１が設けられており、拡張カバー１６をダクトレール５とシーリングカバー１５との間に挟装させた状態で設置したときに、凹部１６１および凸部５０１相互が嵌合するように構成されている。これにより、拡張カバー１６は、ダクトレール５から容易にずれたり外れたりし難い。
【００３４】
コード長さ調整具１７は、シーリングキャップ１４のキャップ本体１４０に着脱可能な状態で連結される挟持部１７０と、吊り下げコード１３の中間部をループ状に撓ませた状態で嵌入保持する溝部１７１と、溝部１７１に保持された吊り下げコード１３のループ部１３０を巻回させる軸部１７２と、軸部１７２に巻回されたループ部１３０を引掛けて固定させるための複数の引掛け片１７３，１７４とを備えており、挟持部１７０をキャップ本体１４０に下方から圧接状態で連結させることでシーリングキャップ１４に支持固定される。
【００３５】
図８から図１１に示すように、挟持部１７０は、上方へ開放する略コ字板状に形成されており、対向する二つの側板２１と、側板２１の下端相互を繋ぐ下板２２とを備えている。一方、軸部１７２は、略円柱状に形成されており、下板２２の下面中央部から下方へ向かって延出している。また、引掛け片１７３，１７４は、両側板２１の外側面に突設されており、溝部１７１は、軸部１７２の外周面に形成されている。
【００３６】
溝部１７１は、軸部１７２の一側面の上端から下端に亘って略垂直に延設される直線状の縦溝２３と、縦溝２３から軸部１７２の周面に沿って延設される横向き略Ｙ字状の横溝２４とで構成されている。また、図１０に示すように、横溝２４は、縦溝２３の略中央位置から略水平に延設される水平溝２４１と、水平溝２４１の端部から分岐し、斜め上方へ向かって延設される上傾斜溝２４２と、水平溝２４１の端部から分岐し、斜め下方へ向かって延設される下傾斜溝２４３とで構成されている。
【００３７】
図１０および図１１に示すように、縦溝２３および横溝２４は、それぞれ軸部１７２の外周から中心部に至る深さに形成されており、縦溝２３に嵌入された吊り下げコード１３は、軸部１７２の中心部を通って下端から下方へ延出される。また、水平溝２４１は、図１０における軸部１７２の右側端から左方へ向かって延設され、上傾斜溝２４２および下傾斜溝２４３は、水平溝２４１の左端から軸部１７２の左側端まで延設されている。
【００３８】
従って、吊り下げコード１３を縦溝２３の上端から中央位置まで嵌入させた後、折り曲げて横溝２４の水平溝２４１から上傾斜溝２４２に沿って嵌入させ、さらに下傾斜溝２４３から水平溝２４１に沿って嵌入させ、折り曲げて縦溝２３の中央位置から下端まで嵌入させれば、軸部１７２の側面（図１０において、左側端）において、吊り下げコード１３の中間部がループ状に撓んだ状態で保持固定される。その際、ループ部１３０の長さを任意に設定することで、吊り下げコード１３の延出長さ、即ち、ランプＬの吊り下げ高さを調整することができる。尚、ランプＬの吊り下げ高さを調整しない場合は、吊り下げコード１３を縦溝２３の上端からそのまま下端まで嵌入させるか、或いは、コード長さ調整具１７をシーリングキャップ１４から取り外して使用される。
【００３９】
図８から図１１に示すように、両側板２１の外側面にはそれぞれ、一対の上面視略三角板状の第１の引掛け片１７３および第２の引掛け片１７４が突設されている。第１の引掛け片１７３は、側板２１の一側端寄りで且つ下端寄りの位置に設けられ、側板２１の外側面に沿って略水平に形成されている。一方、第２の引掛け片１７４は、側板２１の他側端寄りの位置で且つ上下間の略中央位置に設けられ、側板２１の外側面に沿って略水平に形成されている。即ち、第１の引掛け片１７３および第２の引掛け片１７２相互は、上下且つ前後に所定の間隔を存して配設されている。従って、吊り下げコード１３の中間部にループ部１３０を形成し、軸部１７２の外周に巻回させる場合は、図１２から図１５に示すように、ループ部１３０の端部を第１の引掛け片１７３や第２の引掛け片１７４に引掛けたり、ループ部１３０の中間部を引掛け片１７３，１７４相互の間隙に嵌挿させたりして固定することができる。このようにループ部１３０を巻回固定させることで、吊り下げコード１３をシーリングカバー１５の内部でコンパクトに束ねることができる。尚、ループ部１３０は、図１０において軸部１７２の左側端に形成されるため、その左側端から軸部１７２の外周に沿って上面視時計回りに巻回させるのが好ましい。
【００４０】
図１１に示すように、第１の引掛け片１７３における側板２１の中央側の端縁（上面視において第２の引掛け片１７４に対向する側の端縁）には、半円弧状の切欠２５が形成されており、吊り下げコード１３のループ部１３０を引掛け片１７３，１７４に引掛けたり、引掛け片１７３，１７４相互の間隙に嵌挿させたときに、切欠２５の端面がループ部１３０の外周面に沿って接触するように構成されている。これにより、ループ部１３０が引掛け片１７３，１７４から外れ難い。
【００４１】
図８から図１１に示すように、第１の引掛け片１７３の先端上面、および、第２の引掛け片１７４の先端上下面には、それぞれ側板２１と略平行にリブ状の爪片２６が形成されており、吊り下げコード１３のループ部１３０を引掛け片１７３，１７４に引掛けたり、引掛け片１７３，１７４相互の間隙に嵌挿させたときに、爪片２６の端面がループ部１３０の外周面に側板２１の外側から当接するように構成されている。これにより、ループ部１３０が引掛け片１７３，１７４からより外れ難い。
【００４２】
第２の引掛け片１７４の先端には、円柱状の突起２７が略水平に突設されており、吊り下げコード１３のループ部１３０を軸部１７２に巻回させた際、図１４に示すように、突起２７に留めリング１８を引掛けることで、ループ部１３０の巻回状態をより確実に保持することができる。尚、留めリング１８は、図１５に示すように、第１の引掛け片１７３や第２の引掛け片１７４に引掛けて、ループ部１３０の巻回状態を保持させることもできる。
【００４３】
また、一方の側板２１に設けられた引掛け片１７３，１７４と、他方の側板２１に設けられた引掛け片１７３，１７４とは、軸部１７２の中心に対して点対称となるように構成されている。従って、ループ部１３０の長さが異なっても、一方の引掛け片１７３，１７４に掛止させるときと同様の態様で、他方の引掛け片１７３，１７４にループ部１３０を掛止させることができる。
【００４４】
上記照明器具１によれば、ランプＬの吊り下げ高さを調整すべく、吊り下げコード１３の中間部をループ状に束ねて使用する場合に、シーリングカバー１５に拡張カバー１６を連結すれば、そのループ部１３０がシーリングカバー１５および拡張カバー１６の内部に余裕をもって収容されるから、シーリングカバー１５を正しい姿勢で設置することができる。しかも、吊り下げコード１３の中間部を束ねて使用しない場合は、シーリングカバー１５から拡張カバー１６を取り外せば、その分、シーリングカバー１５の周辺の構成がコンパクトになる。さらに、ダクトレール５に取り付けて使用する場合は、シーリングカバー１５に拡張カバー１６を連結すれば、ダクトレール５とシーリングカバー１５との間に不要な隙間も生じない。即ち、使用形態に合わせて室内美観を損なうことなく設置することができる。よって、使い勝手が良い。
【００４５】
また、このものでは、ダクトレール５に取り付けて使用する場合に、拡張カバー１６の凹部１６１およびダクトレール５の凸部５０１相互が嵌合することで、拡張カバー１６がダクトレール５に対して位置決め状態で連結されるから、室内美観を損なうことなく、より正しい姿勢でシーリングカバー１５を設置することができる。よって、使い勝手が一層良好である。
【００４６】
さらに、このものでは、ランプＬの吊り下げ高さを調整すべく、吊り下げコード１３の中間部を束ねて使用する場合、吊り下げコード１３をループ状に撓ませて溝部１７１に保持させ、ループ部１３０を形成し、さらにループ部１３０を軸部１７２に巻回し、引掛け片１７３，１７４に引掛けて固定させることで、吊り下げコード１３がシーリングカバー１５の内部でコンパクトに束ねられるから、正しい姿勢でシーリングカバー１５を設置することができる。また、吊り下げコード１３をコンパクトに束ねることができる分、シーリングカバー１５を小さく構成することも可能である。よって、室内美観を損なうことなく設置可能な、使い勝手の良い照明器具を提供できる。
【００４７】
ところで、吊り下げコード１３は、被覆が比較的厚肉の軟質樹脂で形成されており、屈曲に対する所定の復元力を有している。そのため、吊り下げコード１３の中間部を束ねて使用する際、上記特許文献１に記載されたコード調整具のように、ループ部をコード調整具本体の側面に上下並設されたコード押さえ板相互の間隙に巻回させただけでは、ループ部の巻回状態を確実に保持できず、容易に解けてしまう虞がある。しかしながら、上記照明器具１では、軸部１７２に巻回させたループ部１３０を引掛け片１７３，１７４に引掛けて固定させるように構成されているから、ループ部１３０の巻回状態を確実に保持することができる。即ち、ループ部１３０の巻回状態が容易に解けて、その解けたループ部１３０によってシーリングカバー１５の正しい姿勢での設置が阻害される虞がない。よって、室内美観を損なうことなく、正しい姿勢でシーリングカバー１５を設置することができる。
【００４８】
また、このものでは、吊り下げコード１３に環設された留めリング１８を引掛け片１７３，１７４に引掛けることで、ループ部１３０が軸部１７２に対してより確実に巻回状態で保持され、シーリングカバー１５の内部でコンパクトに束ねられるから、室内美観を損なうことなく、より正しい姿勢でシーリングカバー１５を設置することができる。よって、使い勝手が一層良好である。
【００４９】
しかも、このものでは、引掛け片１７３，１７４が軸部１７２の上方位置に設けられており、ループ部１３０を軸部１７２に巻回固定させる場合、ループ部１３０は、図１２から図１５に示したように、軸部１７２に巻回された後、軸部１７２の上端付近で掛止され、さらに留めリング１８によって上向きに引っ張られるようにして固定される。これにより、ループ部１３０が軸部１７２からズレ落ち難く、シーリングカバー１５の内部で確実に束ねられるから、室内美観を損なうことなく、シーリングカバー１５をより正しい姿勢で設置することができる。よって、使い勝手が一層良好である。
【００５０】
尚、上記実施の形態では、挟持部１７０をキャップ本体１４０に圧入状態で連結させることで、コード長さ調整具１７がシーリングキャップ１４に支持固定されるように構成されているが、図１６に示すように、挟持部１７０の上端内側に設けられた爪部１７５がキャップ本体１４０の側壁に設けられた孔部１４５に抜け止め状態で嵌合するように構成されたものとしてもよい。このものでは、上記孔部１４５および爪部１７５相互が嵌合することで、コード長さ調整具１７がシーリングキャップ１４に対して確実に連結固定されるから、軸部１７２に巻回された吊り下げコード１３のループ部１３０がシーリングカバー１５の内壁に接触し難い。従って、室内美観を損なうことなく、シーリングカバー１５をより正しい姿勢で設置することができる。よって、使い勝手が一層良好である。
【符号の説明】
【００５１】
１      照明器具
１１    ランプソケット
１３    吊り下げコード
１４    シーリングキャップ
１５    シーリングカバー
１５０  上端縁（開放側の端部）
１６    拡張カバー
３      配線器具
Ｌ      ランプ
【図１】
2016033859.tif 000003
【図２】
2016033859.tif 000004
【図３】
2016033859.tif 000005
【図４】
2016033859.tif 000006
【図５】
2016033859.tif 000007
【図６】
2016033859.tif 000008
【図７】
2016033859.tif 000009
【図８】
2016033859.tif 000010
【図９】
2016033859.tif 000011
【図１０】
2016033859.tif 000012
【図１１】
2016033859.tif 000013
【図１２】
2016033859.tif 000014
【図１３】
2016033859.tif 000015
【図１４】
2016033859.tif 000016
【図１５】
2016033859.tif 000017
【図１６】
2016033859.tif 000018
【図１７】
2016033859.tif 000019
【図１８】
2016033859.tif 000020